(57)【要約】      （修正有）【課題】拡大鏡により拡大することで繊細に動かす集中力と労力の軽減を可能にする作業用具を提供する。【解決手段】様々な部材を保持して作業する際に用いる作業用具１０であり、先端部１１ａで部材を保持する棒状部を有する用具本体１１と、保持した状態で部材と作業する部位を拡大する拡大鏡１２と、を含み、用具本体に拡大鏡を備える。【選択図】図１
0003218388.tif 000002
【実用新案登録請求の範囲】
【請求項１】
様々な部材を保持して作業する際に用いる作業用具であり、
先端部で前記部材を保持する棒状部を有する用具本体と、
保持した状態で前記部材と作業する部位を拡大する拡大鏡と、を含み、
前記用具本体に前記拡大鏡を備えたことを特徴とする作業用具。
【請求項２】
前記部材は、ラインストーンまたは部品であり、
前記用具本体は、先端部で前記部材を吸引または摘まんで保持し、
前記用具本体を前記拡大鏡に貫通して備えた構成であることを特徴とする請求項１に記載の作業用具。
【請求項３】
化粧または増毛する際に用いる化粧用具であり、
先端部で前記化粧または前記増毛する棒状部を有する用具本体と、
前記先端部と前記化粧または前記増毛する部位を拡大する拡大鏡と、を含み、
前記用具本体に前記拡大鏡を備えたことを特徴とする化粧用具。
【請求項４】
前記化粧は、化粧料を塗布し、
前記増毛は、頭髪にヘアーエクステンションを取り付ける構成であり、
前記用具本体を前記拡大鏡に貫通して備えた構成であることを特徴とする請求項３に記載の化粧用具。
【考案の詳細な説明】
【技術分野】
【０００１】
この考案は、様々な部材を保持して作業する際に用いる作業用具、及び化粧または増毛する際に用いる化粧用具に関する。
【背景技術】
【０００２】
様々な部材を保持して作業する際に用いる作業用具として、例えば、複数のラインストーンを保持して移送し並べて接着するものがある。また、物作りを担う作業現場で作業者が形状や性状が異なる様々な部品を挟持し、移送する際に用いるものがある。
【０００３】
さらに、化粧する際に用いる化粧用具として、例えば、アイライナー化粧料または液体状のアイブロー組成物を塗布するものがある。また、増毛する際に用いる化粧用具として、例えば、ヘアーエクステンションを装着者の頭髪に取り付けるものがある。
【０００４】
特に、ファッション分野では、髪留め等のアクセサリーや靴、ネイルチップ（付け爪）、スマートフォン等に複数のラインストーンを並べて接着するデコレーション方法が広く知られている。このデコレーションに関しては、専用のペン型吸着具等を使用してラインストーンを表向きの状態で拾い上げて（ピックアップして）被接着面に一つずつ配置して行われるのが一般的である。
【０００５】
複数のラインストーンをケースに入れてデコレーション作業を行う場合、ケース内の載置面上に点状凸部を所定間隔で設け、これらの凸部を利用してラインストーンを反転させる技術が提案されている  （特許文献１参照）。
【先行技術文献】
【特許文献】
【０００６】
【特許文献１】特開２００７−２１１３５号公報
【考案の概要】
【考案が解決しようとする課題】
【０００７】
この技術に関しては、ペン型吸着具で裏向きになったラインストーンを一つずつ反転させなければならないため、ペン型吸着具を繊細に動かす集中力と労力が要求される。
【０００８】
同様に、物作りを担う作業現場で作業者が形状や性状が異なる様々な部品を挟持し、移送する際にも、またアイライナー化粧料または液体状のアイブロー組成物を塗布する際にも、さたにヘアーエクステンションを装着者の頭髪に取り付ける際にも、繊細に動かす集中力と労力が要求される。
【０００９】
この考案は、このような従来の問題点を解消するためになされたもので、その目的とするところは、拡大鏡により拡大することで繊細に動かす集中力と労力の軽減を可能にする作業用具及び化粧用具を提供することにある。
【課題を解決するための手段】
【００１０】
前記課題を解決し、かつ目的を達成するために、この考案は、以下のように構成した。
【００１１】
請求項１に記載の考案は、様々な部材を保持して作業する際に用いる作業用具であり、
先端部で前記部材を保持する棒状部を有する用具本体と、
保持した状態で前記部材と作業する部位を拡大する拡大鏡と、を含み、
前記用具本体に前記拡大鏡を備えたことを特徴とする作業用具である。
【００１２】
請求項２に記載の考案は、前記部材は、ラインストーンまたは部品であり、
前記用具本体は、先端部で前記部材を吸引または摘まんで保持し、
前記用具本体を前記拡大鏡に貫通して備えた構成であることを特徴とする請求項１に記載の作業用具である。
【００１３】
請求項３に記載の考案は、化粧または増毛する際に用いる化粧用具であり、
先端部で前記化粧または前記増毛する棒状部を有する用具本体と、
前記先端部と前記化粧または前記増毛する部位を拡大する拡大鏡と、を含み、
前記用具本体に前記拡大鏡を備えたことを特徴とする化粧用具である。
【００１４】
請求項４に記載の考案は、前記化粧は、化粧料を塗布し、
前記増毛は、頭髪にヘアーエクステンションを取り付ける構成であり、
前記用具本体を前記拡大鏡に貫通して備えた構成であることを特徴とする請求項３に記載の化粧用具である。
【考案の効果】
【００１５】
前記構成により、この考案は、以下のような効果を有する。
【００１６】
請求項１乃至請求項４に記載の考案では、作業用具及び化粧用具に拡大鏡を備え、拡大鏡により拡大することで繊細に動かす集中力と労力の軽減が可能である。
【図面の簡単な説明】
【００１７】
【図１】実施の形態１の作業用具の斜視図である。
【図２】実施の形態１の作業時の斜視図である。
【図３】実施の形態２の作業用具の斜視図である。
【図４】実施の形態１の化粧用具の斜視図である。
【図５】実施の形態２の化粧用具の斜視図である。
【図６】実施の形態３の化粧用具の斜視図である。
【考案を実施するための形態】
【００１８】
以下、この考案の作業用具及び化粧用具の実施の形態について説明する。この考案の実施の形態は、考案の最も好ましい形態を示すものであり、この考案はこれに限定されない。
【００１９】
（作業用具の実施の形態１）
作業用具の実施の形態１を、図１及び図２に基づいて説明する。図１は作業用具の斜視図、図２は作業時の斜視図である。
【００２０】
この実施の形態１の作業用具１０は、様々な部材を保持して作業する際に用いる用具であり、先端部１１ａで部材Ａを吸引して保持する棒状部を有する用具本体１１と、保持した状態で部材と作業する部位を拡大する拡大鏡１２と、を含み、用具本体１１に拡大鏡１２を備える。
【００２１】
拡大鏡１２に貫通孔１２ａを形成し、用具本体１１の棒状部を貫通孔１２ａに貫通させ、用具本体１１を拡大鏡１２に貫通して備えた構成である。
【００２２】
用具本体１１には、図示しない吸引装置が接続され、先端部１１ａで様々な部材Ａを吸引し保持して作業する。この実施の形態の部材Ａは、ラインストーンであり、ラインストーンを吸引し保持して移送し、ラインストーンをスマートフォンリング１００、ゴルフマーカー１０１、ヘアリング１０２などに接着する。
【００２３】
この作業は、用具本体１１の先端部１１ａで部材Ａを吸引して保持し、部材Ａのラインストーンをスマートフォンリング１００、ゴルフマーカー１０１、ヘアリング１０２などに接着するが、作業用具１０に拡大鏡１２を備えており、拡大鏡１２により拡大することで繊細に動かす集中力と労力の軽減が可能である。
【００２４】
（作業用具の実施の形態２）
作業用具の実施の形態２を、図３に基づいて説明する。図３は作業用具の斜視図である。
【００２５】
この実施の形態２の作業用具２０は、様々な部材を保持して作業する際に用いる用具であり、先端部２１ａで部材Ａを摘まんで保持する棒状部を有する用具本体２１と、保持した状態で部材と作業する部位を拡大する拡大鏡２２と、を含み、用具本体２１に拡大鏡２２を備える。
【００２６】
用具本体２１は、ピンセットが用いられ、拡大鏡２２に貫通孔２２ａを形成し、用具本体２１の棒状部を貫通孔２２ａに貫通させ、ピンセットの一方の棒状部は貫通孔２２ａに固定し、ピンセットの他方の棒状部は貫通孔２２ａに可動可能な状態で、用具本体２１を拡大鏡２２に貫通して備えた構成である。
【００２７】
用具本体２１は、先端部２１ａで様々な部材Ａを摘まんで保持して作業する。部材Ａは、部品であり、例えば、組立作業において、部品の大きさが作業者の指先では摘まんで保持し得ない程に小さな部品を取り扱う際に、ピンセットが広く用いられる。
【００２８】
この作業は、用具本体２１の先端部２１ａで部材Ａを摘まんで保持し、組立作業を行うが、作業用具２０に拡大鏡２２を備えており、拡大鏡２２により拡大することで繊細に動かす集中力と労力の軽減が可能である。
【００２９】
（化粧用具の実施の形態１）
化粧用具の実施の形態１を、図４に基づいて説明する。図４は化粧用具の斜視図である。
【００３０】
この実施の形態１の化粧用具３０は、化粧する際に用いる用具であり、先端部３１ａで化粧する棒状部を有する用具本体３１と、先端部３１ａする部位を拡大する拡大鏡３２と、を含み、用具本体３１に拡大鏡３２を備える。
【００３１】
拡大鏡３２に貫通孔３２ａを形成し、用具本体３１の棒状部を貫通孔３２ａに貫通させ、用具本体３１を拡大鏡３２に貫通して備えた構成である。
【００３２】
用具本体３１は、アイライナーであり、先端部３１ａで化粧料を塗布し、化粧する。この化粧は、用具本体３１の先端部３１ａで化粧料を塗布するが、作業用具３０に拡大鏡３２を備えており、拡大鏡３２により拡大することで繊細に動かす集中力と労力の軽減が可能である。
【００３３】
（化粧用具の実施の形態２）
化粧用具の実施の形態２を、図５に基づいて説明する。図５は化粧用具の斜視図である。この化粧用具の実施の形態２では、用具本体３１は、アイブローである点で実施の形態１と異なるが、その他の構成は同様であるので、同じ符号を付して説明を省略する。
【００３４】
（化粧用具の実施の形態３）
化粧用具の実施の形態３を、図６に基づいて説明する。図６は化粧用具の斜視図である。この化粧用具の実施の形態３では、化粧用具４０は、増毛する際に用いる用具であり、先端部４１ａで増毛する棒状部を有する用具本体４１と、先端部４１ａと増毛する部位を拡大する拡大鏡４２と、を含み、用具本体４１に拡大鏡４２を備える。
【００３５】
拡大鏡４２に貫通孔４２ａを形成し、用具本体４１の棒状部を貫通孔４２ａに貫通させ、用具本体４１を拡大鏡４２に貫通して備えた構成である。
【００３６】
増毛は、頭髪にヘアーエクステンションを取り付ける構成であり、用具本体４１の先端部４１ａで頭髪にヘアーエクステンションを取り付けるが、作業用具４０に拡大鏡４２を備えており、拡大鏡４２により拡大することで繊細に動かす集中力と労力の軽減が可能である。
【産業上の利用可能性】
【００３７】
この考案は、様々な部材を保持して作業する際に用いる作業用具、及び化粧または増毛する際に用いる化粧用具に適用され、拡大鏡により拡大することで繊細に動かす集中力と労力の軽減を可能にする。
【符号の説明】
【００３８】
Ａ  部材
１０  実施の形態１の作業用具
１１  用具本体
１１ａ  先端部
１２  拡大鏡
１２ａ  貫通孔
２０  実施の形態２の作業用具
２１  用具本体
２１ａ  先端部
２２  拡大鏡
２２ａ  貫通孔
３０  実施の形態１の化粧用具
３１  用具本体
３１ａ  先端部
３２  拡大鏡
３２ａ  貫通孔
４０  実施の形態２の化粧用具
４１  用具本体
４１ａ  先端部
４２  拡大鏡
４２ａ  貫通孔 
【図１】
0003218388.tif 000003
【図２】
0003218388.tif 000004
【図３】
0003218388.tif 000005
【図４】
0003218388.tif 000006
【図５】
0003218388.tif 000007
【図６】
0003218388.tif 000008